(57)【要約】【課題】蹴飛ばし機構を有するカメラにおいて被写界輝度に応じて蹴飛ばし機構でシャッタ秒時の調整とともに絞りの調整も行なうことができ、かつ低廉なカメラを提供すること。【解決手段】走行板１によってセットレバー４を回動して絞り部材２を回動させる。高輝度である場合にはプランジャＰＬを作動させ、解除レバー８を移動させて係止レバー７の係止爪７ｂによって絞り部材２を係止する。また、夜景モードが選択されたら、シャッタ係止部材５によってシャッタ部材３を、そのシャッタ係止部材５の係止部材６の係止爪６ａで係止して長秒時を実現させる。撮影モード設定操作部材９の配置と、測光装置の測定結果に応じて作動するプランジャＰＬとそのプランジャＰＬに係合されている解除レバー８によってシャッタ係止部材５と係止レバー７の位置を撮影モードに応じて制御する。【選択図】　　図２
2004138889.tif 000002
【特許請求の範囲】
【請求項１】
撮影レンズを通る撮影光路を経由して入射した被写体光を捉えることにより撮影を行なうカメラにおいて、
前記撮影光路を閉じる位置に配備され、駆動力を受けバネ力に逆らって該撮影光路を一旦開放して該バネ力により該撮影光路を再び閉じるシャッタ部材と、
前記撮影光路を開放した状態の前記シャッタ部材に解除自在に係止するシャッタ係止部材と、
前記シャッタ係止部材の前記シャッタ部材への係止、解除を制御するためのアクチュエータとを備えたことを特徴とするカメラ。
【請求項２】
撮影レンズを通る撮影光路を経由して入射した被写体光を捉えることにより撮影を行なうカメラにおいて、
前記撮影光路を閉じる位置に配備され、駆動力を受けバネ力に逆らって該撮影光路を一旦開放して該バネ力により該撮影光路を再び閉じるシャッタ部材と、
前記撮影光路上から退避した開放絞り位置と該撮影光路上に配備され該撮影光路を通り被写体光の光量を減ずる小絞り位置との間で移動する絞り部材と、
前記シャッタ部材に作用してシャッタ秒値を複数の秒時に切り替えるシャッタ秒時切替機構と、
前記絞り部材に作用して該絞り部材を前記開放絞りと前記小絞り位置のいずれかに切り替える絞り切替機構と、
操作に応じた位置に移動して複数の撮影モードを設定する撮影モード設定操作部材と、
前記撮影モード設定操作部材の位置に応じて前記シャッタ秒時切替機構と前記絞り切替機構のいずれか一方に選択的に作用するアクチュエータとを備えたことを特徴とするカメラ。
【請求項３】
所定角度回動自在に軸支され前記撮影モード設定操作部材の位置に応じた回動方向にバネ付勢されるとともに、前記アクチュエータの作用を受け、該バネ付勢の方向に応じて、該アクチュエータの、前記シャッタ秒時切替機構と前記絞り切替機構への作用を切り替える、該シャッタ秒時切替機構と該絞り切替機構とに共用されたアクチュエータ駆動力伝達切替部材を備えたことを特徴する請求項２記載のカメラ。
【発明の詳細な説明】
【０００１】
【発明の属する技術分野】
本発明は、いわゆる蹴飛ばしシャッタとそのシャッタを蹴飛ばす蹴飛ばし機構とを有するカメラに関する。
【０００２】
【従来の技術】
カメラの中にはシャッタの開閉を機構的に行なうものがある。このような機構の中に蹴飛ばし機構と呼ばれるものが在る。この蹴飛ばし機構を備えたカメラの中にはその蹴飛ばし機構でシャッタを蹴飛ばす他に、蹴飛ばし機構と連動して露出調整用の絞りの切替も行なうことができるものがある（たとえば特許文献１参照）。この特許文献１のカメラでは蹴飛ばし機構によってシャッタが蹴飛ばされるものの、シャッタ秒時の調整までは行なわれない。
【０００３】
また、夜間撮影においてはシャッタを長い時間開放して閃光発光された閃光をフィルム面上に所定量導き露光を行なう必要があるため、閃光発光用の摘みに連動してシャッタ秒時を切り替えるものがある（たとえば特許文献２参照）。この特許文献２のカメラでは閃光発光を伴う撮影が行なわれるときに閃光発光用の摘みに連動してシャッタ秒時が切り替えられる。
【０００４】
【特許文献１】
特開平２００２−４９０７５号公報
【特許文献２】
特開平２００１−１３３８２８号公報
【０００５】
【発明が解決しようとする課題】
上記の如く、特許文献１ではシャッタを蹴飛ばすとともにその蹴飛ばし動作に連動して絞りの調整が行なわれたとしてもシャッタ秒時の調整が行なわれないという問題がある。また特許文献２では閃光発光用の摘みが操作されたときにシャッタ秒時の調整が行なわれるが、それ以外のときにはシャッタ秒時の調整が行なわれないという問題がある。
【０００６】
本発明は、上記事情に鑑み、蹴飛ばし機構を有するカメラにおいてシャッタ秒時の調整を行なうことができるカメラを提供することを目的とする。
【０００７】
【課題を解決するための手段】
上記目的を達成する本発明のカメラは、撮影レンズを通る撮影光路を経由して入射した被写体光を捉えることにより撮影を行なうカメラにおいて、
撮影光路を閉じる位置に配備され、駆動力を受けバネ力に逆らってその撮影光路を一旦開放してそのバネ力によりその撮影光路を再び閉じるシャッタ部材と、撮影光路を開放した状態のシャッタ部材に解除自在に係止するシャッタ係止部材と、
シャッタ係止部材のシャッタ部材への係止、解除を制御するためのアクチュエータとを備えたことを特徴とする。
【０００８】
上記カメラによれば上記シャッタ係止部材によるシャッタ部材の係止を、アクチュエータの作用に応じてシャッタ秒時の制御を行なうことができる。つまりアクチュエータを作用させる時間をたとえばフィルムの感度に応じて制御する構成にすれば、フィルム感度に応じてシャッタ秒時の制御を行なうこともできる。
【０００９】
また、上記目的を達成する本発明のカメラは、
撮影レンズを通る撮影光路を経由して入射した被写体光を捉えることにより撮影を行なうカメラにおいて、
撮影光路を閉じる位置に配備され、駆動力を受けバネ力に逆らってその撮影光路を一旦開放して該バネ力により該撮影光路を再び閉じるシャッタ部材と、
撮影光路上から退避した開放絞り位置とその撮影光路上に配備されその撮影光路を通り被写体光の光量を減ずる小絞り位置との間で移動する絞り部材と、
上記シャッタ部材に作用してシャッタ秒値を複数の秒時に切り替えるシャッタ秒時切替機構と、
上記絞り部材に作用して該絞り部材を前記開放絞りと前記小絞り位置のいずれかに切り替える絞り切替機構と、
操作に応じた駆動位置に移動して複数の撮影モードを設定する撮影モード設定操作部材と、
前記撮影モード設定操作部材の位置に応じて前記シャッタ秒時切替機構と前記絞り切替機構のいずれか一方に選択的に作用するアクチュエータとを備えたものであっても良い。
【００１０】
この構成のカメラによれば、上記撮影モード設定操作部材の位置に応じて上記シャッタ秒時切替機構、絞り切替機構のいずれかに上記アクチュエータを作用させることができる。たとえば、上記撮影モード設定操作部材によって設定される撮影モードに、閃光発光を伴う撮影を行なう通常撮影モードと、必ず閃光を伴った撮影が行なわれる夜間撮影モードとを配備すれば、その撮影モード設定操作部材で通常撮影モードが選択されたときにはアクチュエータを絞り切替機構に作用させて絞りの調整を行ない、夜間モードが選択されたときには上記アクチュエータを上記シャッタ秒時切替機構に作用させてシャッタ秒時の調整を行なうことができる。
【００１１】
ここで、上記本発明のカメラは所定角度回動自在に軸支され前記撮影モード設定操作部材のセット位置に応じた回動方向にバネ付勢されるとともに、前記アクチュエータの作用を受け、該バネ付勢の方向に応じて該アクチュエータの、前記シャッタ秒時切替機構と前記絞り切替機構への作用を切り替える、該シャッタ秒時切替機構と該絞り切替機構とに共用されたアクチュエータ駆動力伝達切替部材を備えたものであることが好ましい。
【００１２】
このようにアクチュエータの作用を受けて上記シャッタ秒時切替機構と上記絞り切替機構への作用を切り替える具体的な手段として、そのシャッタ秒時切替機構とその絞り切替機構とに共用されたアクチュエータ駆動力伝達切替部材が備えられていると、１つのアクチュエータが駆動されたときにそのアクチュエータの駆動力がアクチュエータ駆動力伝達切替部材に伝えられ、そのアクチュエータ駆動力伝達切替部材によってシャッタ秒時切替機構を機能させるか、あるいは絞り切替機構を機能させるかが切り替えられる。
【００１３】
このように撮影モード設定操作部材で選択された撮影モードに応じて１つのアクチュエータを駆動するという簡易な構造で露光調節、露出調節を行なうことができるようにすると、カメラの小型化、低廉化を図ることができるばかりでなく、上記撮影モード設置操作部材の設定位置によって必要なときにだけ上記アクチュエータを作動させればそのアクチュエータを駆動するための電力を低減することができ、そのアクチュエータに電力を供給する電池の小型化をも図ることができる。
【００１４】
【発明の実施の形態】
以下、本発明の実施形態について説明する。
【００１５】
図１は本発明の実施形態を示すカメラ１００の構成を示す図である。
【００１６】
図１に示すようにレンズ鏡胴１０１がカメラボディの中央に設けられており、カメラボディの右上側には閃光発光窓１０２が設けられている。その閃光発光部１０２の下方には被写界輝度を測定するための受光素子ここではＣｄｓ（Ｃａｄｍｉｕｍ　Ｓｕｌｐｈｉｄｅ　Ｃｅｌｌ）が設けられており、そのＣｄｓにより測定された結果に基づいて内部に配備された閃光発光装置から閃光が閃光窓１０２を通して発光される。
【００１７】
またカメラボディの下部には撮影モード選択用の撮影モード設定操作部材１０３が設けられている。この撮影モード設定操作部材１０３には操作を行うための摘み１０３ａが設けられており、その摘み１０３ａがスライド操作されてその撮影モード設定操作部材１０３が符合Ａ、符合Ｂ，符合Ｃに対応するいずれかの位置に動かされると、符合Ａ，符合Ｂ，符合Ｃに対応するいずれかの撮影モードで撮影が行なわれる。
【００１８】
図１に示した符号Ａが撮影モード設置操作部材１０３で選択されると、夜景撮影モードになり、カメラ内部に配備された閃光発光装置から閃光が発光されて撮影が行なわれる。また符合Ｂが選択されると通常撮影閃光発光モードになり、Ｃｄｓの測定結果に応じて閃光を伴った撮影あるいは通常の撮影が行なわれる。また符合Ｃが選択されると閃光発光オフ撮影モードになり、閃光の発光が強制的にオフされて撮影が行なわれる。この撮影モード設定操作部材１０３でいずれかの撮影モードが選択された後、レリーズ操作が行われていずれかの撮影モードでの撮影が行なわれる。
【００１９】
このカメラ１００はレリーズ釦１１の押下によって走行板が走行を開始して順次絞り部材、シャッタ部材を順次作動させるような、いわゆる蹴飛ばし機構を有している。したがってＣＰＵなどによってシャッタ部材の開閉動作、絞り板の回動動作が制御される訳ではなく、走行板の走行によってそれらの動作つまり露光調節、露出調節といったものが制御される。このようにすると、ＣＰＵが必要なくなり、消費電力が低減されるといった効果もある。
【００２０】
図２はレリーズ操作に応じてシャッタ部材と絞り部材とを作動させる構造を示す図である。図２を参照してこのカメラが持つ蹴飛ばし機構の構造の概要を説明する。
【００２１】
レリーズ釦１１の直下にはバネ１１１が設けられており、このバネ１１１によってユーザにレリーズ操作の操作感覚を与えるとともに、レリーズ操作終了後、そのレリーズ釦１１を元の位置に復帰させることが行なわれている。
【００２２】
レリーズ釦１１には走行板１との係わりを持たせるためにガイド部材１１ａや係合部材１１ｂといった部材が延設されており、走行板１側に延設された係合部材１１ｂ側には係止爪１１ｃが設けられている。その係止爪１１ｃが走行板１の係止爪１ａに係合されて走行板１が係止されている。またレリーズ釦１１に延設されたガイド部材１１ｂには２つのガイド孔１１ｄ，１１ｅが設けられており、それらのガイド孔１１ｄ，１１ｅにはカメラボディ側に設けられたガイドピン１００ａ，１００ｂがそれぞれ挿通されている。レリーズ操作が行われたときにはそれらのガイド孔１１ｄ，１１ｅに嵌挿されているガイドピン１００ａ，１００ｂに案内されてレリーズ釦１１とともに係合部材１１ｂが動くようになっている。したがってレリーズ釦が押下されると、そのレリーズ釦に延設されたガイド部材１１ａとともに係合部材１１ｂが下方に動いて係合部材１１ｂの端部にある係止爪１１ｃと走行板の係止爪１ａとの係止が解かれて、走行板１の走行が始まる。
【００２３】
一方、走行板１側にもこの走行板１が安定して走行するようにガイドピン１００ｃ，１００ｄに係合されるガイド孔１ｆ，１ｇが設けられていてそれらのガイド孔１ｆ，１ｇに挿通されているガイドピン１００ｃ，１００ｄに沿って図２の左側から右側に走行板１が安定して走行することができるような構造になっている。またこの走行板１の係止爪１ａ側とは反対の側にはこの走行板を走行させるための付勢バネ１００ｅが設けられており、レリーズ釦１１側の係止爪１１ｃと走行板１の係止爪１ａとが係止状態にあるときには、この付勢バネ１００ｅによってバネ力が蓄積されて、レリーズ操作が行われたらその蓄積されたバネ力によって走行板１が付勢されて走行する。
【００２４】
この走行板１の下部には突起部１ｂ，１ｃが二つ設けられていて走行板１が走行するとそれらの突起部１ｂ，１ｃによってセットレバー４とシャッタ部材３がそれぞれ回動されるようになっている。この走行板１の一方の突起部１ｂによってセットレバー４が回動されると、そのセットレバー４の一腕部４ｅに端部２ｄが係合されている絞り部材２も回動される。この絞り部材２は支軸２ｂに回動自在に軸支され、その絞り部材２の支軸２ｂ近傍に設けられているボス２ｅとカメラボディ側に設けられているボス１００ｆとにそれぞれ両端部が引っ掛けられて配設されているバネ１００ｇによって反時計方向に付勢されている。このバネ１００ｇによって絞り部材２が回動してしまわないように、シャッタ部材３にバネ力を与えるバネ１００ｈを保持するボス１００ｐに絞り部材２の一部２ａが係合されている。したがってセットレバー４が走行板１の突起部１ｂによって反時計方向に回動されたら絞り部材２が時計方向に回動されて、走行板１の突起部１ｂがセットレバー４付近を通り過ぎてセットレバー４が元の位置に戻ろうとしたら絞り部材２も反時計方向に回動されてボス１００ｐの在る元の位置に復帰する。
【００２５】
このセットレバー４によって回動する絞り部材２には相対的に小さな開口を持つ絞り２ｃが穿設されており、相対的に大きな開口を持つ絞りは撮影光路に固定されて配置されている。なお図２には撮影光路に配設される撮影レンズＬ１，Ｌ２が撮影光路を示すために示されている。このカメラにおいては露出調節にあたって、絞り部材２が回動されて小さな開口持つ絞りが撮影光路に配置される場合と絞り部材２が撮影光路に配置されずに大きな開口を持つ絞りが配置される場合の２通りがあるので、以降の説明においては絞り部材２が回動されて相対的に小さな絞りが撮影光路に配置された状態を小絞り位置と記し、絞り部材２が回動されずに相対的に大きな開口の絞りが撮影光路に配置された状態を開放絞り位置と記す。
【００２６】
シャッタ部材３も走行板１に設けられているもう一つの突起部１ｃによって蹴飛ばされたら回動するように回動自在に支軸３ｂに軸支されており、その支軸３ｂの下方がバネ１００ｈによって反時計方向に付勢されている。したがって走行板１の突起部１ｃによってシャッタ部材３が蹴飛ばされると、そのシャッタ部材３がその支軸３ｂを中心にバネ力に逆らって回動されて、撮影光路を開放した後、バネ１００ｈによってそのシャッタ部材３が再び撮影光路を閉じるようになっている。なおシャッタ部材３が走行板によって蹴飛ばされない状態においては、そのままの位置に維持されるようにカメラボディ側に設けられているボス１００ｑによってバネ付勢されている勢いが抑止されている。
【００２７】
またシャッタ部材３には後述するシンクロスイッチＳＷｓｙｎｃの一方の端子片を押すための突起部３ｄと、後述するシャッタ係止部材５の係止爪６ａと係合する係止爪３ａが設けられている。
【００２８】
このままではシャッタ部材３も絞り部材２もすぐに元の位置に復帰して撮影が行なわれてしまうので、撮影モードに応じてシャッタ部材３を係止するシャッタ係止機構と、絞り部材２を係止して絞り部材２に設けられた相対的に小さな開口を持つ絞りを光軸に配置したまま係止する絞り係止機構とがシャッタ部材３、絞り部材２の下方および左方にそれぞれ設けられている。そのシャッタ係止機構がシャッタ係止部材５と係止レバー７であり、絞り係止機構が係止レバー７と解除レバー８である。またそれらの係止機構を撮影モードに応じて作動させるのが撮影モード操作設定部材９とアクチュエータとなるプランジャＰＬである。詳細については後述する。
【００２９】
また、走行板１の上部には後述する測光回路に電池からの電力を供給するためのスイッチＳＷｃｈを作動させるための突起部１ｅが設けられており、この突起部１ｅによってスイッチＳＷｃｈの一方の端子片が押されてもう一方のスイッチＳＷｃｈの端子片に接触するとこのスイッチＳＷｃｈがオンして測光回路に電池から電力が供給される。このスイッチＳＷｃｈがオンして測光回路に電力が供給されているときに測光装置によって被写界輝度が測定されて低輝度であると判定されたときにはプランジャＰＬが駆動される。
【００３０】
ここで走行板１の走行に応じてどのように撮影モードに応じた露出調節、露光調節が行なわれるかを説明する。
【００３１】
まず、絞り部材２によって行なわれる露出調節を説明する。
【００３２】
レリーズ操作が行われてレリーズ釦１１側と走行板１の係止が解かれて走行板１が走行を開始すると、まず走行板１の突起部１ｂによってセットレバー４が蹴飛ばされて絞り部材２が反時計方向に回動される。このセットレバー４が走行板１の突起部１ｂによって回動されると、セットレバー４が支軸４ｂを中心に回動されてセットレバー４にその一部が係合されている絞り部材２が時計方向に回動されるようになっている。その支軸４ｂにはその支軸４ｂに巻回されるようにして捩りバネ４ｃが配設されており、その捩りバネ４ｃの一方の端部がカメラボディに設けられたボス１００ｉに係合して、他方の端部がセットレバー４のボス４ｄに係合されている。したがってこのセットレバー４はその捩りバネ４ｃによって付勢されて走行板１の突起部１ｂにセットレバー４の腕部４ａが係合されているときには反時計方向に支軸を中心に回動され、その突起部４ａとの係合がなくなったときに捩りバネの付勢力によってセットレバー４が時計方向に回動される。このセットレバー４には走行板１に係合されている腕部４ａの他に、絞り部材２に係合されている腕部４ｅも設けられており、走行板１の突起部１ｂによってセットレバー４が反時計方向に回動されると、絞り部材２が時計方向に回動されて絞り部材２が小絞り位置に配置される。絞り部材２は後述する係止レバー７の係止爪７ｂが絞り部材２の回転軌道上に配置されているときには、この係止レバー７の係止爪７ｂに係止されて小絞り位置に保持され、この係止レバー７の係止爪７ｂが絞り部材２の回転軌道上から退避した位置に配置されているときにはセットレバー４が時計方向に回動されて捩りバネ４ｃによってそのセットレバー４が元の位置に戻されるときに絞り部材２もともに元の位置に戻される。
【００３３】
この係止レバー７の配置は、測光装置の測定結果に応じて動作するプランジャに一端を保持されて、その係止レバー７を回動自在に支持する解除レバー８と、係止レバー７にバネ１００ｍによって連結されている撮影操作モード設定部材９の配置と、プランジャＰＬの動作状態によって決められている。そのプランジャＰＬの動作状態はスイッチＳＷｃｈがオンして測光回路に電力が供給されたときに決められており、通常撮影閃光発光モード（この図２に示すように図１の符合Ｂに対応する中央の凹みに撮影モード設定操作部材９の凸部９ａが配置されたとき）においては、このプランジャＰＬの動作状態によって開放絞り位置か、小絞り位置のいずれかに絞り部材２が配置されるようになっている。この係止レバー７と、解除レバー８と、撮影モード設定操作部材９が本発明にいう絞り切替機構に当たり、また係止レバー７と解除レバー８とが本発明にいうアクチュエータ駆動力伝達切替部材に当たる。
【００３４】
撮影モード設定操作部材９にはこの撮影モード設定操作部材９をスライドさせるための摘み９ｂと、その摘み９ｂがスライド操作されたときに撮影モード設定操作部材９の下方に設けられた受部１２に嵌入される凸部９ａが設けられている。この撮影モード設定操作部材９がスライド操作されて凸部９ａがその撮影モード設定操作部材９の下方に設けられた受部１２の３つの凹み１２ａ，１２ｂ，１２ｃのうちいずれかに嵌め込まれると、図１の符合Ａ、符合Ｂ，符合Ｃのいずれかの撮影モードが設定される。なおこの撮影モード設定操作部材９にはスライドが安定して行なわれるようにガイド孔９ｃ，９ｄがそれぞれ設けられており、それらのガイド孔９ｃ，９ｄにはそれぞれガイドピン１００ｋ，１００ｌがそれぞれ挿通されている。
【００３５】
また撮影モード設定操作部材９の二つのガイド孔９ｃ，９ｄの間には係止レバー７を回動付勢するためのバネ１００ｍが配設されており、撮影モード設定操作部材９の位置が変わるとそのバネ１００ｍによって回動付勢される方向が変わり、時計方向あるいは反時計方向に係止レバー７が回動される。図２には撮影モード設定操作部材９の凸部９ａが受部１２の中央の凹み１２ｂに嵌め込まれて係止レバー７が反時計方向に回動されるとともにプランジャＰＬが作動していないときに、係止レバー７の爪部７ｂが絞り部材２の回転軌道上に配置された例が示されている。つまり通常撮影閃光発光モードで高輝度の撮影が行なわれるときの各部材の配置が示されている。
【００３６】
このように高輝度で絞りを絞って撮影を行なう必要がある場合には、絞り部材２の回転軌道上に係止爪７ｂが配置され、絞り部材２がその係止爪７ｂを乗り越えて回動され、戻り際に絞り部材２が係止爪７ｂに係止されて絞り部材２が撮影光路に配置されて撮影が行なわれる。
【００３７】
なお撮影モード設定操作部材９が摘み９ｂによって図２の左側にスライド操作されてその凸９ａが凹み１２ａに嵌め込まれると、夜景撮影モードが選択されて係止レバー７が時計方向に回動され、係止爪７ｂが回転軌道上から退いて、開放絞り位置に絞り部材２が配置されて開放絞りでの撮影が行なわれるようになっている。この夜景モードについては後述する。
【００３８】
また、なお撮影モード設定操作部材９がその摘み９ｂによってスライド操作されて凸部９ａが凹み１２ｃに嵌め込まれると閃光発光オフモードが選択されて、閃光発光が強制的にオフされて閃光発光を伴わない撮影が行なわれるようになっている。
【００３９】
次に撮影光路をシャッタ部材３で開閉することによって行なわれる露光調節を説明する。
【００４０】
前述したように、シャッタ部材３が走行板１の突起部１ｃによって蹴飛ばされると、時計方向にシャッタ部材ｄが回動されて撮影光路が開放された後、今度はシャッタ部材３が反時計方向に回動されて再び撮影光路を閉じる。露光調整においてはシャッタ部材３が撮影光路を開放している時間が調節されて絞りを通してフィルムに与えられる光量が調節される。この撮影光路が開放されている時間をシャッタ秒時と呼んでおり、フィルムの感度や絞りに応じてその光量が調節される。このシャッタ秒時の調節が、以降に説明するシャッタ係止部材５、とそのシャッタ係止部材５の係止部６、係止レバー７によって行なわれる。この実施形態の例では、絞り値Ｆ８に対してはシャッタ秒時１／３０、絞り値Ｆ１４に対してはシャッタ秒時１／１００を実現する機構が示されており、後述するシャッタ係止部材５の係止部６によってシャッタ部材３が係止されなければシャッタ秒時１／１００、シャッタ係止部材５の係止部６によってシャッタ部材３が係止されれば１／３０のシャッタ秒時が実現されるようになっている。以降の説明においてはシャッタ秒時１／１００を通常秒時露光と呼び、シャッタ秒時１／３０を長秒時露光と呼ぶ。
【００４１】
前述したように走行板１の右側の突起部１ｃによってシャッタ部材３が蹴飛ばされる前に、走行板１の左側の突起部１ｃによってセットレバー４が回動されて露出調節が行なわれている。このセットレバー４が回動された後でセットレバー４に係合されているシャッタ係止部材５の係止部６によってシャッタ部材３が係止される構成になっている。
【００４２】
セットレバー４の下方に設けられたシャッタ係止部材５にはシャッタ部材３を係止するための係止部６が設けられており、その係止部６にはシャッタ部材を係止するための係止爪６ａが設けられている。その係止爪６ａがシャッタ部材３の回転軌道上に置かれると、シャッタ部材３の爪部３ａが係止されて長秒時露光が行なわれるようになっている。
【００４３】
撮影モード設定操作部材９の凸部９ａが中央の凹み部１２ｂに嵌め込まれて通常撮影モードが選択されているときには、プランジャＰＬが作動しない限り、係止レバー７の係止爪７ｂが絞り部材２の回転軌道上に配置されて小絞り位置に保持されて、絞りが絞られて通常秒時の露光が行なわれる。ここで被写界輝度に応じて絞り板２を開放絞り位置に配置して絞りを開放することができるようにしているのがプランジャＰＬである。つまり撮影モード設定操作部材９によって通常撮影閃光発光モードが選択されたときには係止レバー７によってシャッタ係止部材５の係止部がシャッタ部材３の回転軌道上に配置されて通常秒時で撮影が行なわれるが、このときに被写界輝度が測光回路に測定されて被写界輝度が高輝度であると判定された場合には絞り板２が係止レバー７の係止爪７ｂによって係止されて絞りを絞って撮影が行なわれて、被写界輝度が低輝度であると判定された場合には絞り板２が係止レバー７の係止爪７ｂによって係止されずに、開放絞り位置で保持されて絞りが開放されて撮影が行なわれる。
【００４４】
これに対し、撮影モード設定操作部材９の摘み９ｂがスライド操作されてその凸部９ａが左側の凹部１２ａに嵌め込まれて夜景モードが選択されたら、係止レバー７が時計方向に回動されて、その係止レバー７の端部７ａがシャッタ係止部材５の端部に係合されてシャッタ係止部材５の係止部６の係止爪６ａがシャッタ部材３の回転軌道側に回動される。
【００４５】
このときには係止レバー７がバネ１００ｍによって時計方向に回動されているので係止レバー７の係止爪７ｂが小絞位置絞部材２の回転軌道上に配置されずに開放絞りになって、開放絞りでの長秒時露光が行なわれる。つまり、シャッタ秒時切替機構側にアクチュエータ駆動力伝達切替部材が作用して、絞り切替機構側にはアクチュエータが作用せずに、絞り板は開放位置に保持されたままになる。このシャッタ係止部材５とそのシャッタ係止部材５の係止部６とその係止爪６ａと係止レバー７と解除レバー８と撮影モード設定操作部材９とが本発明にいうシャッタ秒時切替機構に当たる。前述した露出調節においても係止レバーと解除レバーとからなる駆動力伝達部材を本発明にいう絞り切替機構に当たるものとして記載したが、本実施形態のカメラにおいてはこの係止レバーと解除レバーとからなる駆動力伝達部材がシャッタ秒時切替機構と絞り機構とに共用されている。
【００４６】
なおレリーズ釦１１が押されて走行板１が走行し切った後、フィルムの巻き取りレバーの巻き取り動作によって、走行板１の係止爪１ａとレリーズ釦１１の係止爪１１ｃとを再度係合させるためのチャージ用部材１０も付勢バネ１００ｅとともに設けられている。このチャージ部材１０はたとえばフィルム巻き取りレバーが操作され、フィルムの一駒分の給送が行なわれたときにその動作に連動して走行板１の端部１ｄを押して係止爪１１ｃ側に付勢するようなものである。また、このように走行板１を元の位置に復帰させるときに、蹴飛ばし用の突起部１ｃとシャッタ部材３とが干渉しないように、シャッタ部材３を蹴飛ばす突起部１ｃの上部にあるガイド孔１ｇには凹み１ｈが設けられており、そのチャージ用部材１０によって走行板１を元の位置に戻すときにはその凹み部１ｈがうまく作用してシャッタ部材３と走行板１とが干渉しないようにしてある。ただし、走行板１が右から左に走行するときにはその凹み部１ｈは作用しない。また、その凹み部１ｈの上部には突起部１ｊが設けられており、左から右に走行板１が走行するときにその突起部１ｊにガイドピン１００ｄを当接させて走行板１の走行速度を減速させている。
【００４７】
以上が蹴飛ばしシャッタ機構の概要である。ここで撮影モード設定操作部材９がスライド操作されて撮影モードのいずれかが選択されたときに前述した各部材が動くかを、図３〜図１８を参照して詳細に説明する。
【００４８】
図３〜図８は通常撮影閃光発光モードが撮影モード設定操作部材９によって設定されて、測光回路で高輝度であると判定された場合の各部の動きを示す図である。また図９〜図１０は通常撮影閃光発光モードで低輝度であると判定された場合の各部の動作を示す図である。また図１１〜図１８は夜景撮影モードが撮影モード設定操作部材９によって設定されて、無条件に閃光発光が行なわれるときの各部の動作を示す図である。
【００４９】
まず、撮影モード設定操作部材９によって通常撮影閃光発光モードが選択され、測光装置で被写界輝度が高輝度であると判定されたときの各部の動きを、図３〜図７を参照して詳細に説明する。
【００５０】
通常モードが選択されると、摘み９ｂによって撮影モード設定操作部材９がスライド操作されて凸部９ａが中央の凹部１２ｂに嵌め込まれる。
【００５１】
このときには撮影モード設定操作部材９とバネ１００ｍによって連結されている係止レバー７がバネ１００ｍによって反時計方向に回動される。図３に示すように通常モードが選択されたときには、バネ１００ｍは斜め右下方を向いているので係止レバー７が反時計方向に回動されて、解除レバー８の端部８ａに係止レバー７に設けられている二つのボスのうち、一方のボス７ｄが係合される。なお解除レバー８は測光装置の測定結果に応じてプランジャＰＬにより駆動されるが、ここでは高輝度であるのでプランジャＰＬが駆動されてはいない。
【００５２】
ここでレリーズ操作が行われると、走行板１が走行を開始する。図３は突起部１ｂがセットレバー４を蹴飛ばす前の状態が示されている。そこからさらに走行板１が走行すると図４の位置まで走行板１が移動する。図４にはセットレバー４が蹴飛ばされる直前の状態が示されている。このときに走行板１の上部にある突起部１ｅによってスイッチＳＷｃｈの一方の端子片が他方の端子片側に押されて両端子片が接触して測光装置に電源から電力が供給されて被写界輝度の測定が開始される。そしてこのときに後述するプランジャＰＬが駆動されるかどうかが判定される。この判定結果に基づいてプランジャＰＬが駆動されるが、ここでは高輝度であったとして以降の説明を行なう。
【００５３】
測光装置によって高輝度であると判定された場合にはプランジャＰＬが駆動されないので、解除レバー８の位置はそのままの位置に保たれる。この解除レバー８は撮影モード設定操作部材９とともに係止レバー７の位置を変更するもので、撮影モード設定操作部材９によって係止レバー７の係止爪７ｂが絞り部材２の回転軌道上に配置されている場合に、このプランジャＰＬが作動すると解除レバー８の位置が変更されて係止レバー７の係止爪７ｂがその回転軌道上から退避される。ここでは高輝度であるので、係止レバー７が絞り部材２を係止することができる位置にそのまま配置される。ここで、走行板１がさらに走行して図５に示すようにセットレバー４が蹴飛ばされると、セットレバー４に係止されていた絞り部材２がそのセットレバー４の回動とともに絞り部材２の回転軌道上に配置された係止レバー７の係止爪７ｂを乗り越えるように回動され、戻り際にその係止爪７ｂによって絞り部材２がその係止爪７ｂの位置に係止される。このように絞り部材２が係止爪７ｂに係止されると、絞り部材２に設けられている相対的に小さな開口の絞りが光軸に配置される。ここまでで露出調整が終了する。
【００５４】
露出調整が終了しても走行している走行板１によって今度は露光調整が行なわれる。図６に示すように走行板のもう１つの突起部１ｃによって今度はシャッタ部材３が蹴飛ばされる。図６にはその突起部１ｃによってシャッタ部材３が蹴飛ばされる直前の状態が示されている。その図６の状態からさらに走行板１が走行すると図７に示すようにそのシャッタ部材３が時計方向に回動されて撮影光路が開放される。このシャッタ部材３がセットレバー４付近まで回動されると、セットレバー４に配設されている閃光発光の開始を指示するためのシンクロスイッチＳＷｓｙｎｃの一方の端子片が押されてもう一つの端子片に接触する。このシンクロスイッチＳＷｓｙｎｃは閃光発光回路の閃光発光装置に閃光の開始指示を行なうためのものであり、このシンクロスイッチＳＷｓｙｎｃが接触したときに閃光の発光が行なわれる。ここでは高輝度であるので閃光発光装置側には測光装置の測定結果が伝えられていて閃光発光は行なわれない。またここではこのシンクロスイッチＳＷｓｙｎｃが接続されたと同時に後述する測光回路内の遅延回路が作動するようになっている。
【００５５】
セットレバー４の下方にはシャッタ係止部材５があるが、プランジャＰＬが作動していないのでここではこのシャッタ係止部材５の係止部６の係止爪６ａがシャッタ部材３を係止することができる位置には配設されていない。したがって、図８に示すようにシャッタ部材３はそのまま撮影光路を閉じる方向に回動されて撮影光路が閉じられて通常秒時での露光が行なわれる。
【００５６】
以上で通常撮影モードで高輝度であった場合の露光が終了して撮影処理が終了する。
【００５７】
次に図９、図１０を参照して、通常撮影モードのときに測光装置で低輝度であると判定されてプランジャＰＬが駆動された場合の各部材の動きを説明する。
【００５８】
走行板１がスイッチＳＷｃｈを押している間に測光装置が作動してプランジャＰＬが作動し、図９の矢印で示す方向に解除レバー８の位置が変更される。そうすると係止レバー７が時計方向に回動されて絞り部材２の回転軌道上にあった係止爪７ｂが絞り部材２の回転軌道上から退く。このときには図９、図１０に示すように走行板１によってセットレバー２が蹴飛ばされて一旦絞り部材２が回動されはするものの、すぐに絞り部材２が光軸から退いて大きな開口を持つ絞り２が光軸に配置される。このようにセットレバー４の回動にしたがって開放絞り位置に絞り部材２が保持される。そうすると絞り部材２が大きな開口を持つ絞りの位置から開放されて開放絞りでの撮影が行なわれる。さらに走行板１が走行してシャッタ部材３が突起部１ｃによって蹴飛ばされると、シャッタ部材３が回動してセットレバー４にあるシンクロスイッチＳＷｓｙｎｃがシャッタ部材３の突起部３ｄによって押されて閃光発光の開始指示が閃光発光回路に対して行なわれる。
【００５９】
ここでは低輝度であるので図１０に示すようにプランジャＰＬが作動して、シャッタ保持部材５が係止レバー７の端部によって半時計方向に回動されてシャッタ係止部材の係止爪がシャッタ部材３の回転軌道上に配置されずに退いている。したがってシャッタ係止部材６の係止部材５によってシャッタ部材３が係止されずにシャッタ部材３が撮影光路上に戻って撮影光路を遮断して通常秒時での露光が終了する。
【００６０】
次に図１１〜図１８を参照して夜景モードのときの各部材の動きを説明する。
【００６１】
撮影モード設定摘み９によって夜景モードが選択されたときには撮影モード設定操作部材９がその摘み９ｂによってスライド操作されて凸部９ａが左側の凹部１２ａに嵌め込まれる。
【００６２】
図１１に示すように夜景撮影モードが選択されると、撮影モード設定操作部材９と係止レバー７とを連結しているバネ１００ｍは斜め左下方を向いているので係止爪７ｂとともに係止レバー７が時計方向に回動されて、解除レバー８の端部８ｄに係止レバー７のボス７ｄ側が係合される。このときに係止レバー７のもう１つのボス７ｃと解除レバー８の端部８ｄとの間には、プランジャＰＬが駆動されて係止レバー７が回動される余裕を与えるだけの間隙が形成されている。このように係止レバー７が回動されると、係止レバー７の係止爪７ｂがシャッタ部材３の回転軌道上から退いて今度は係止レバー７の端部７ａによってシャッタ係止部材５が回動されるようになる。
【００６３】
したがって係止レバー７の端部７ａがシャッタ係止部材６側まで移動してシャッタ係止部材５に係合されて、シャッタ係止部材５がその係止レバー７の端部によって回動されてシャッタ係止部材５の係止爪がシャッタ部材３の回転軌道上から一旦退く。
【００６４】
ここでレリーズ操作が行われると、走行板が走行を開始する。図１１には突起部１ｂがセットレバー４を蹴飛ばす前の状態が示されている。そこからさらに走行板が走行すると図１２の位置まで走行板１が移動する。図１２にはセットレバー４が蹴飛ばされる直前の状態が示されている。このときに走行板の上部にある突起部によってスイッチＳＷｃｈの一方の端子片が他方の端子片側に押されて両端子片が接触して測光装置に電源から電力が供給されて被写界輝度の測定が行なわれる。そしてプランジャＰＬが駆動されるかどうかが判定される。ここでは夜間撮影であるので低輝度であると判定されてプランジャＰＬが駆動される。図１３に示すようにプランジャＰＬが駆動されると、解除レバー８が右側方向に移動し、係止レバー７の端部７ａが時計方向に回動されてシャッタ係止部材５の端部側に入り込んでシャッタ部材５が時計方向に回動される。そうするとシャッタ係止部材５とセットレバー４との係合が解かれて、シャッタ係止部材５がシャッタ部材３の回転軌道側に回動されてシャッタ係止部材５の係止部６の係止爪６ａがシャッタ部材３の回転軌道上に配置される。
【００６５】
さらに走行板１が走行して突起部１によってシャッタ部材１３が蹴飛ばされて回動されると、図１４，図１５に示すようにシャッタ部材３はシャッタ係止部材５の係止部６の係止爪６ａを乗り越えてセットレバー４に在るシンクロスイッチＳＷｓｙｎｃの位置まで回動される。このシャッタ係止部材５の係止部６の係止爪６ａには捩りバネ６ｂが設けらており、シャッタ部材３がこの係止爪６ａを乗り越えるときにはその捩りバネ６ｂによって付勢されて係止爪６ａがシャッタ部材３の回転軌道上から一旦退き、再びシャッタ部材３の回転軌道上に配置されるようになっている。
【００６６】
シンクロスイッチＳＷｓｙｎｃの位置まで回動されたシャッタ部材３は戻り際に図１６に示すようにそのシャッタ係止部材５の係止部６の係止爪６ａによって係止されて、撮影光路が開放されたままになり、シャッタ秒時の調整が行なわれる。さらに図１７に示すように走行板１が走行してプランジャＰＬの通電が終了して解除レバー８が復帰するとシャッタ係止部材５が回転軌道上から退く方向に回動されてシャッタ係止部材５の係止部６の係止爪６ａとシャッタ部材３の爪部３ａとの係止が解かれる。こうして係止が解かれたら、図１８に示すようにシャッタ部材３が復帰して撮影光路を閉じて長秒時での露光が終了する。
【００６７】
なお露光が完了した後でも係止レバー７とシャッタ係止部材５との係合はそのままになっているため、ここでフィルム巻上げ動作が行なわれて走行板１が元の位置に戻されて撮影モードの切替が行なわれても、その係合が解かれないこともある。そこでシャッタ係止部材５の係合部分５ｃには図１９に示したような斜面５ｄが設けられている。
【００６８】
図１９はシャッタ係止部材５の端部の構造を示した図である。
【００６９】
フィルム巻上げ動作が行なわれて撮影モードが通常撮影モードに切り替えられ、係止レバー７が反時計方向に回動されたときには係止レバー７の端部７ａもともに反時計方向（符合Ｐ方向）に回動される。係止レバー７の端部７ａが回動されて、符号Ｐ側に動くときにシャッタ係止部材５の斜面５ｄに沿って動くと、係止レバー７の端部７ａがＱ側に付勢されながら斜面５ｄに沿って滑り降りてその係合が解かれ易くなる。このようにしておくと、シャッタ係止部材５と係止レバー７とがロックされるといったことが防止される。
【００７０】
図２０は測光装置の構成を示した回路図である
この測光装置の測定結果によってプランジャＰＬが駆動される回路になっている。
【００７１】
測光装置にはＣｄＳが用いられており、測光された光量によって抵抗値が変わる。これを利用してプランジャＰＬの駆動を行なうことができる回路を構成している。通常ならばＣＰＵで制御されるものであるので、ＣＰＵで測光装置の測定結果を読み取れば良いが、ここではＣｄＳの測定結果に応じてプランジャが駆動されるようにしている。またプランジャＰＬが駆動される時間はコンデンサと抵抗とからなる遅延回路Ｄｅｌａｙの時定数によって決定されている。
【００７２】
図２０に示すようにＰＮＰトランジスタＴｒ１のエミッタは電源に、コレクタはダイオードＤ３と抵抗Ｒ８を介してプランジャＰＬを駆動するためのＮＰＮトランジスタＴｒ４のベースに接続されている。初段のＰＮＰトランジスタＴｒ１を動作させるためにはベースエミッタ間に所定の電圧を加えなければならないが、ここではこのベースエミッタ間に被写界輝度に応じた電位差を与えるためにＣｄＳが用いられている。このＣｄＳは可変抵抗と等価であり、被写界輝度によって抵抗値が変わり、高輝度時には小さな抵抗値が示され、低輝度時には大きな抵抗値が示される。高輝度時には抵抗値が小さい訳であるからベースエミッタ間の電圧降下は小さくなり、初段のＰＮＰトランジスタＴｒ１は作動しない。ところが低輝度時にＣｄｓに大きな抵抗値が示されると、ベースエミッタ間に大きな電位差が与えられるとトランジスタＴｒ１が作動してトランジスタＴｒ１のエミッタコレクタ路を介してダイオードＤ３、抵抗Ｒ８、抵抗Ｒ９に電流が流れる。そうするとそのコレクタにプランジャＰＬが接続されているＮＰＮトランジスタＴｒ４が作動してプランジャＰＬを駆動するためのコイルに電流が流れてプランジャＰＬが駆動される。このスイッチＳＷｃｈは走行板１の突起部１ｅがスイッチＳＷｃｈを蹴飛ばしているだけ接続される。したがって突起部１ｅがそのスイッチＳＷｃｈ部分を通り過ぎるとスイッチＳＷｃｈが開放されてプランジャＰＬが動作しなくなってしまう。そこで、この回路ではシンクロスイッチＳＷｓｙｎｃに同期して遅延回路Ｄｅｌａｙが作動してシンクロスイッチＳＷｓｙｎｃが接続されたと同時にコンデンサＣ１の充電が行なわれるようになっている。このシンクロスイッチＳＷｓｙｎｃは一瞬接続されるだけだが、ＮＰＮトランジスタＴｒ２を通して素早く電流が流れてコンデンサＣ１に電荷が蓄積されてそのコンデンサの両端に電圧を発生させる。そうするとこのシンクロスイッチの接続が解かれてもこのトランジスタＴｒ３を作動させるために必要な電位差がコンデンサＣ１によって所定の時間維持されてプランジャ側のトランジスタＴｒ４が所定の時間作動してプランジャＰＬを駆動するコイルが励磁され続ける。
【００７３】
なお、抵抗Ｒ１は、電源からＣｄＳを経由して流れ込む電流の値を定めるものであり、Ｒ８，Ｒ９は第４のトランジスタＴｒ４のベースに流れ込む電流を定めるためのものである。また抵抗Ｒ３はコンデンサＣ１を充電するためのトランジスタＴｒ２のベースエミッタ間に予め電位差を与えるものである。シンクロスイッチＳＷｓｙｎｃが接続されたと同時に作動するトランジスタＴｒ３のベースに設けられている抵抗Ｒ６はトランジスタＴｒ３のバイアス用の抵抗であり、抵抗Ｒ４はトランジスタＴｒ２がオンしたときに電源からトランジスタＴｒ２に向かって流れる電流の量を規制するためのものである。またダイオードＤ１，Ｄ２，Ｄ３は電流の流れ方向を規制するもので、逆流を防止するために設けられている。
【００７４】
図２１は走行板の走行によって行なわれる露光調節、露出調節といった一連の動作を示すタイミングチャートである。図２１（ａ）はレリーズ操作の状態を波形的に示したものであり、レリーズ釦１１が除々に押されていく状態が示されている。図２１（ｂ）は走行板１の係止が解かれて走行板１が走行を開始して走行が終了するまでの経緯を模擬的に示した図である。図２１（ｃ）はスイッチＳＷｃｈがオンしている時間を示す図、また図２１（ｄ）はセットレバー４の動作状態を示す図、図２１（ｅ）は絞り部材２の動作状態を示した図、図２１（ｆ）はシャッタ係止部材５の動作状態をそれぞれ示した図である。また図２１（ｇ）はシャッタ部材３の動作状態を示す図である。
【００７５】
図２１（ｈ）はシンクロスイッチＳＷｓｙｎｃの動作状態を示す図、図２１（ｉ）〜（ｋ）は測光回路内の各部の動作状態をそれぞれ示す図である。
【００７６】
以降順を追って一連の動作を説明する。
【００７７】
図２１（ａ），（ｂ）に示すようにレリーズ操作がされてレリーズ釦１１の係止爪１１ｃが下方に動いて走行板１との係止が解かれると、走行板１の走行が開始される。
【００７８】
図２１（ｃ）に示すように走行板が走行を開始してまずスイッチＳＷｃｈがオンされて、図２０に示した測光回路が動作可能になる。パルス状に書かれた波形のパルス幅がスイッチＳＷｃｈのオン時間を示している。また図２１（ｂ）に示した平らな部分は走行板１のガイド孔１ｇに設けられた突起部１ｊによって走行板１を減速させている期間を示している。
【００７９】
図２１（ｄ）に示すようにセットレバー４は絞り部材２によって蹴飛ばされ、回動された後、復帰している。この状態がパルス状の波形で示されている。このセットレバー４の回動によって絞り部材２とともにシャッタ係止部材５が回動される。その状況が図２１（ｅ），（ｆ）に示されており、矢印で経緯が示されている。
【００８０】
なお図２１（ｅ）に点線で示されているのは通常撮影閃光発光モード時の高輝度時の撮影が行なわれたときの絞りの動作である。また図２１（ｆ）（ｇ）に点線で示されているのは夜景撮影モード時の動作である。ここでは通常撮影閃光発光モード時に測光装置の測定結果が低輝度であって通常秒時の撮影が行なわれた場合の例が実線で示されている。
【００８１】
図２１（ａ）から図２１（ｇ）に示すようにセットレバー４が走行板１の突起部１ｂによって回動されたときに絞り部材２が作動して露出調節が行なわれ、同様にシャッタ係止部材５が作動してシャッタ秒時の調節が行なわれている。ここでは低輝度である場合の例が示されており、開放絞り位置に絞り部材２が配置されて通常秒時で露光調節が行なわれたことが示されている。
【００８２】
図２１（ｄ）に示すようにセットレバー４が回動されると、図２１（ｅ），（ｆ）に示すように絞り部材２が回動されてシャッタ係止部材５も回動される。ここでは低輝度であるので、解除レバー８がプランジャＰＬによって駆動されて係止レバー７、シャッタ保持部材が回動されてもすぐに元の位置に戻るようになっている。
【００８３】
図２１（ｄ）から図２１（ｆ）に示すようにセットレバー４に同期して絞り部材２、シャッタ係止部材５も元の位置に復帰している。そうすると絞りが開放されて、その絞りが開放された状態で図２１（ｇ）に示すようにシャッタ部材３が通常秒時で開閉される。
【００８４】
これに対し、通常撮影閃光発光モードで高輝度であると判定された場合には図２（ｅ）に点線（＊ｂ）で示したように、セットレバー４の動きに同期して絞り部材２が小絞り位置に配置されたら、係止レバー７の係止爪７ｂによって絞り板２が係止されて撮影光路が絞られて撮影が行なわれる。
【００８５】
また夜景撮影モードが選択されたときには図２（ｆ）、図２（ｇ）に点線で示すようにシャッタ係止部材５の係止部６の係止爪６ａがシャッタ部材３の回転軌道上に置かれて、シャッタ部材が所定の期間係止されて撮影が行なわれる。このときにはプランジャＰＬによって駆動される解除レバーの位置が関係するので、図２１（ｈ）から図２１（ｋ）にはそのプランジャＰＬの作動時間を決めている測光回路の時間関係が示されている。なお、通常撮影閃光発光モードにおいて測光回路で低輝度時であると判定された場合にも、プランジャが作動して同様の動作が行なわれた、このときにはシャッタ係止部材５側には解除レバーは作用しない。
【００８６】
図２１（ｊ）に示すようにスイッチＳＷｃｈがオンすると、低輝度である場合にはすぐにプランジャＰＬを作動させるコイルの両端に電圧が印加されてプランジャＰＬが作動する。スイッチＳＷｃｈが開放されてしまうと、このプランジャＰＬが動作しなくなるので、遅延回路ＤｅｌａｙによってプランジャＰＬが作動される時間を時間ｔｃ分だけ延長させている。図２１（ｉ）に示されているのは図２０に示したコンデンサＣ１の両端の電圧値であり、シンクロスイッチＳＷｓｙｎｃが接続されたときにそのコンデンサＣ１の両端に電圧が発生して、シンクロスイッチＳＷｓｙｎｃが開放された後はそのコンデンサＣ１から電荷が放電されてその放電される電荷量が抵抗によって調節されて除々にその発生した電圧が低下している。こうすると、図２１（ｊ）、図２１（ｋ）に示すようにプランジャＰＬを作動させるためのトランジスタＴｒ４が、シンクロスイッチＳＷｃｈが切れた後時間ｔｃ分だけ後までオンし続ける。そのプランジャＰＬが時間ｔｃ後に駆動されなくなったら、解除レバー８の位置が動いて図２１（ｆ）、図２１（ｇ）に示すようにシャッタ部材３とシャッタ係止部材５との係合が解かれてシャッタ部材３によって撮影光路が閉じられる。
【００８７】
この実施形態のカメラによれば波及的な効果としてこのスイッチＳＷｃｈの接続時間中に電気回路を動作させるということで消費電力の低減も実現される。すなわちこのカメラでは走行板の走行中に、測光回路などの電気回路への電力の供給が一時的に行なわれるものとしている。
【００８８】
閃光発光部のメインコンデンサに閃光用の電力をチャージする必要があるのでチャージに必要な時間分だけ閃光発光回路には電力が供給されるものの、測光回路においてはスイッチＳＷｃｈがオンされている間だけ電力が供給され、電池から不要な電力が供給されるといったことが回避される。
【００８９】
スイッチＳＷｃｈがオンされている間だけ測光回路が動作して、低輝度であると判定された場合にプランジャＰＬが駆動されるが、スイッチＳＷｃｈが切れてしまうとプランジャＰＬが動作しなくなってしまう。そこで、遅延回路Ｄｅｌａｙを測光回路内に設けて、プランジャＰＬをスイッチＳＷｃｈが切れても所定の時間だけ作動させて露出調節、露光調節が適正に行なわれるようにしている。
【００９０】
このようにスイッチＳＷｃｈが接続されたときだけ、測光回路とプランジャＰＬを作動させることができるようになり、電池の消費電力の低減を図ることができる。また、時定数をうまく設定すればプランジャＰＬの動作状態を維持することができるので低輝度時においても適正な露出、露光調節を行なうことができる。
【００９１】
図２０の回路ではシンクロスイッチに同期させて遅延回路を働かせているが、スイッチＳＷｃｈが接続されたら遅延回路を作動させても良い。
【００９２】
図２２の回路ではシンクロスイッチＳＷｓｙｎｃを省き、スイッチＳＷｃｈが接続されたときにコンデンサＣ１に充電が開始されるように変形されている。スイッチＳＷｃｈが接続されたと同時にコンデンサに充電が行なわれる以外は、図２０の回路と同様の動作が行なわれる。
【００９３】
図２３は図２２の回路を用いた場合のタイミングチャートである。
【００９４】
図２３の（ｉ）に示すようにスイッチＳＷｃｈが接続された直後にコンデンサの両端に電圧が発生して、放電が開始されているタイミングが、スイッチＳＷｃｈが開放された時になっている以外は、図２１と同様である。
【００９５】
以上説明したように本実施形態のカメラによればシャッタ秒時の切替、シャッタの開閉、絞りの切替を撮影モード設定操作部材と１つのアクチュエータ（プランジャ）によって行なうことができ、部品点数の低減を行なうことができる。また測光装置をスイッチが接続されている期間だけ作動させるので、電池の消費電力を低減することができる。さらにユーザが誤って夜景撮影モードを選択しても高輝度下においてはプランジャが駆動されないので、シャッタ係止部材の係止部材がシャッタ部材の回転軌道上に配置されず、露光オーバになるといった失敗を未然に防ぐことができるという波及効果もある。
【００９６】
なお、本実施形態のカメラでは夜景モードにおいて開放絞りで長秒時露光を行ない、通常撮影モードにおいては被写界輝度に応じて通常秒露光で開放絞り、小絞りを選択的に行なうことができるようにしてあるが、本発明はこれに拠らず、フィルム感度に応じた回路を測光回路に付加して、高感度フィルムのときに小絞りで長時間露光を行なわせるような構成にも容易に拡張することができる。このときにはパトローネに記されたＤＸコードと呼ばれるフィルム感度を示すコードを検出する検出回路を設けてその検出回路の検出結果に応じてプランジャを作動させるようなことを行なえば良い。
【００９７】
【発明の効果】
以上、説明したように、本発明のカメラによれば、蹴飛ばし機構を有するカメラにおいて蹴飛ばし機構でシャッタ秒時の調整とともに絞りの調整も行なうことができ、かつ低廉なカメラを提供することができる。
【図面の簡単な説明】
【図１】本発明の実施形態を示すカメラの外観を示す外観図である。
【図２】図１のカメラが備える露光、露出調整に係る機構を示す図である。
【図３】被写界輝度が高輝度である場合の露光、露出調整に係る機構の動作を説明する図である。
【図４】被写界輝度が高輝度である場合の露光、露出調整に係る機構の動作を説明する図である。
【図５】被写界輝度が高輝度である場合の露光、露出調整に係る機構の動作を説明する図である。
【図６】被写界輝度が高輝度である場合の露光、露出調整に係る機構の動作を説明する図である。
【図７】被写界輝度が高輝度である場合の露光、露出調整に係る機構の動作を説明する図である。
【図８】被写界輝度が高輝度である場合の露光、露出調整に係る機構の動作を説明する図である。
【図９】被写界輝度が低輝度である場合の露光、露出調整に係る機構の動作を説明する図である。
【図１０】被写界輝度が低輝度である場合の露光、露出調整に係る機構の動作を説明する図である。
【図１１】撮影モードが夜景モードである場合の露光、露出調整に係る機構の動作を説明する図である。
【図１２】撮影モードが夜景モードである場合の露光、露出調整に係る機構の動作を説明する図である。
【図１３】撮影モードが夜景モードである場合の露光、露出調整に係る機構の動作を説明する図である。
【図１４】撮影モードが夜景モードである場合の露光、露出調整に係る機構の動作を説明する図である。
【図１５】撮影モードが夜景モードである場合の露光、露出調整に係る機構の動作を説明する図である。
【図１６】撮影モードが夜景モードである場合の露光、露出調整に係る機構の動作を説明する図である。
【図１７】撮影モードが夜景モードである場合の露光、露出調整に係る機構の動作を説明する図である。
【図１８】撮影モードが夜景モードである場合の露光、露出調整に係る機構の動作を説明する図である。
【図１９】シャッタ保持部材５と係止レバー７との係わりを説明する図である。
【図２０】アクチュエータとなるプランジャＰＬを作動させるための回路の一例を示す図である。
【図２１】図２０の回路を作動させるときの一連の動作を説明するタイミングチャートである。
【図２２】アクチュエータとなるプランジャＰＬを作動させるための回路の別の例を示す図である。
【図２３】図２２の回路を作動させるときの一連の動作を説明するタイミングチャートである。
【符号の説明】
１　　走行板
１ａ　　係止爪
１ｂ　１ｃ　　突起部
２　　絞り部材
３　　シャッタ部材
３ａ　　爪部
４　　セットレバー
５　　シャッタ係止部材
６　　係止部材
６ａ　　係止爪
７　　係止レバー
７ｂ　　係止爪
８　　解除レバー
９　　撮影モード設定操作部材
１０　チャージ用部材
１１　　レリーズ釦
１１ａ　　ガイド部材
１１ｂ　　係合部材
１１ｃ　　係止爪
Ｃｄｓ　　測光素子
Ｄｅｌａｙ　　遅延回路
ＰＬ　　プランジャ
ＳＷｃｈ　　スイッチ
ＳＷｓｙｎｃ　シンクロスイッチ
【図１】
2004138889.tif 000003
【図２】
2004138889.tif 000004
【図３】
2004138889.tif 000005
【図４】
2004138889.tif 000006
【図５】
2004138889.tif 000007
【図６】
2004138889.tif 000008
【図７】
2004138889.tif 000009
【図８】
2004138889.tif 000010
【図９】
2004138889.tif 000011
【図１０】
2004138889.tif 000012
【図１１】
2004138889.tif 000013
【図１２】
2004138889.tif 000014
【図１３】
2004138889.tif 000015
【図１４】
2004138889.tif 000016
【図１５】
2004138889.tif 000017
【図１６】
2004138889.tif 000018
【図１７】
2004138889.tif 000019
【図１８】
2004138889.tif 000020
【図１９】
2004138889.tif 000021
【図２０】
2004138889.tif 000022
【図２１】
2004138889.tif 000023
【図２２】
2004138889.tif 000024
【図２３】
2004138889.tif 000025